(57)【要約】【課題】所定の情報を表す図柄を表示する部分について立体感を表現した計器装置を提供する。【解決手段】第３導光部材１２３は、上部及び下部を備え、上部のうちの上端部以外の部分の側面が遮光されており、下部で第３光源からの光を受光し、受光した光を内部で上方に導光し、導光した光を上端部１２３ａｄから出射する。第３導光部材１２３の前記下部は、第２筐体部材１０７に設けられた第３挿入孔１０８ｃに挿入され、第３導光部材１２３の前記上部は、第２図柄表示板１３２内に設けられた第３貫通孔１３５ｃを通って第２図柄表示板１３２から上方に突き出ており、第３貫通孔１３５ｃ及び第３導光部材１２３は、複数の図柄１３９の間に配置されている。【選択図】図５
2014178296.tif 000002
【特許請求の範囲】
【請求項１】
筐体を構成する筐体部材と、
前記筐体部材上に配置され、第１情報を表す第１図柄と第２情報を表す第２図柄とが設けられ、前記第１図柄が下側から照明されることで前記第１図柄が表示され、前記第２図柄が前記第１図柄とは別個に下側から照明されることで前記第２図柄が表示される図柄表示板と、
上部及び下部を備え、前記上部のうちの上端部以外の部分の側面が遮光されており、前記下部で光源からの光を受光し、受光した光を内部で上方に導光し、導光した光を前記上端部から出射する導光部材と、を備え、
前記導光部材の前記下部は、前記筐体部材に設けられた挿入孔に挿入され、
前記導光部材の前記上部は、前記図柄表示板内に設けられた貫通孔を通って前記図柄表示板から上方に突き出ており、
前記貫通孔は、前記第１図柄と前記第２図柄との間に配置されており、前記導光部材は、前記第１図柄と前記第２図柄との間に配置されている、
ことを特徴とする計器装置。
【請求項２】
前記第１図柄は、警告灯又は表示灯のマークであり、
前記第２図柄は、警告灯又は表示灯のマークである、
ことを特徴とする請求項１に記載の計器装置。
【請求項３】
指針と、前記指針によって指示される指標を表示する指標部と、を備える指針式計器をさらに備え、
前記導光部材の頂部は、前記導光部材の上下方向を高さ方向とした場合において、前記指標部の頂部よりも高い位置又は同じ位置にある、
ことを特徴とする請求項１又は２に記載の計器装置。
【請求項４】
前記導光部材は、前記上端部から所定の色の光を出射することで、所定の情報を報知する報知部である、
ことを特徴とする請求項１乃至３のいずれか１項に記載の計器装置。
【請求項５】
前記導光部材の上下方向を高さ方向とした場合において、前記上端部の高さが位置によって変化している、
ことを特徴とする請求項１乃至４のいずれ１項に記載の計器装置。
【請求項６】
前記上部の前記図柄表示板から上方に突き出ている部分のうち前記上端部以外の部分の側面全てが遮光されている、
ことを特徴とする請求項１乃至５のいずれ１項に記載の計器装置。
【発明の詳細な説明】
【技術分野】
【０００１】
本発明は、計器装置に関する。
【背景技術】
【０００２】
計器装置として、例えば、特許文献１には、側面に遮光部を備え、筐体部材内に配置された光源からの光を下部で受光して上方に導光し上端部から出射する導光部材（特許文献１では、第２導光部６５、第３導光部６６、バイザー部９、アンビエント表示部１０からなる。）が設けられた計器装置が開示されている。
【先行技術文献】
【特許文献】
【０００３】
【特許文献１】特開２０１０−２２３８２６号公報
【発明の概要】
【発明が解決しようとする課題】
【０００４】
しかし、上記特許文献１に記載された計器装置では、導光部材が、指針式計器の外周部に配置されているため、警告灯又は表示灯のマークなどの所定の情報を表す図柄（特許文献１ではシンボルマーク２３ａ）を表示する部分（特許文献１におけるインジケータ部２３など）について立体感を持たせたものではなかった。
【０００５】
本発明は、上記実状に鑑みてなされたものであり、所定の情報を表す図柄を表示する部分について立体感を表現した計器装置を提供することを目的とする。 
【課題を解決するための手段】
【０００６】
本発明に係る計器装置は、
筐体を構成する筐体部材と、
前記筐体部材上に配置され、第１情報を表す第１図柄と第２情報を表す第２図柄とが設けられ、前記第１図柄が下側から照明されることで前記第１図柄が表示され、前記第２図柄が前記第１図柄とは別個に下側から照明されることで前記第２図柄が表示される図柄表示板と、
上部及び下部を備え、前記上部のうちの上端部以外の部分の側面が遮光されており、前記下部で光源からの光を受光し、受光した光を内部で上方に導光し、導光した光を前記上端部から出射する導光部材と、を備え、
前記導光部材の前記下部は、前記筐体部材に設けられた挿入孔に挿入され、
前記導光部材の前記上部は、前記図柄表示板内に設けられた貫通孔を通って前記図柄表示板から上方に突き出ており、
前記貫通孔は、前記第１図柄と前記第２図柄との間に配置されており、前記導光部材は、前記第１図柄と前記第２図柄との間に配置されている、
ことを特徴とする。
【発明の効果】
【０００７】
本発明に係る計器装置によれば、所定の情報を表す図柄を表示する部分について立体感を表現できる。
【図面の簡単な説明】
【０００８】
【図１】本発明の一実施形態に係る計器装置の概略分解斜視図である。
【図２】図１の計器装置における見返し部材、窓部材、第３導光部材、第４導光部材を除いた部分であり、第２図柄表示板を外した状態を示す平面図である。
【図３】図１の計器装置における見返し部材、窓部材を除いた部分であり、第２図柄表示板、第３導光部材、第４導光部材を外した状態を示す斜視図である。
【図４】図１の計器装置における見返し部材、窓部材を除いた部分の斜視図である。
【図５】図４におけるＶ−Ｖ概略断面図である。
【図６】図４の第３導光部材などを図４の左側から見た図である。
【図７】第１図柄表示板又は第２図柄表示板に表示される図柄の例を示す図である。
【発明を実施するための形態】
【０００９】
本発明の一実施形態に係る計器装置１０を、図１乃至７を参照して説明する。計器装置１０は、車両に搭載され（特に車両の運転席前方のダッシュボード内に設けられている。）、速度などを表示する車載用計器である。なお、この実施の形態では、車両の上方向を天井方向、下方向を地面方向、左方向を左方向、右方向を右方向、車両の前から後に向かう方向を前方向（又は上方向）、車両の後から前に向かう方向を後方向（又は下方向）などとする（図１参照）。また、平面視とは、車両に搭載された計器装置１０をユーザ（運転者）側の正面から見た場合のことをいう。
【００１０】
図１に示すように、計器装置１０は、第１筐体部材１０３と、回路基板１０５と、第２筐体部材１０７と、第１液晶表示装置１１１と、第２液晶表示装置１１２と、第３液晶表示装置１１３と、指針１１４と、指針用液晶表示装置１１５と、第１導光部材１２１と、第２導光部材１２２と、第３導光部材１２３と、第４導光部材１２４と、指標部１２９と、第１図柄表示板１３１と、第２図柄表示板１３２と、見返し部材１４１と、窓部材１４３と、を含む。
【００１１】
第１筐体部材１０３は、合成樹脂などで形成される。第１筐体部材１０３は、後方に配置される所謂下ケースである。第１筐体部材１０３は、上部が開放した箱体状の形状であり、内部に回路基板１０５を収容する。
【００１２】
回路基板１０５は、基材１０５ａと、制御部（図示せず）と、指針駆動部１０５ｂと、第１〜第５光源１０６ａ〜１０６ｅと、を備える。回路基板１０５は、第１筐体部材１０３内に収納されて、第１筐体部材１０３の支持部材（図示せず）によって支持される。
【００１３】
基材１０５ａは、合成樹脂からなる絶縁性の板状部材から構成される。基材１０５ａには、図示しない各種の配線パターン及び端子などが形成されており、制御部（図示せず）と、指針駆動部１０５ｂと、第１〜第５光源１０６ａ〜１０６ｅと、が実装される。制御部と、指針駆動部１０５ｂ及び第１〜第５光源１０６ａ〜１０６ｅと、は、配線パターンを介して接続される。
【００１４】
制御部には、前記配線パターン及び端子などを介して、計器装置１０の外部（例えば、ＥＣＵ（Electric Control Unit）など）、第１液晶表示装置１１１、第２液晶表示装置１１２、第３液晶表示装置１１３、及び、指針用液晶表示装置１１５が接続される。
【００１５】
制御部は、基材１０５ａの裏面（後方に向く面）に実装されており、マイクロコンピュータなどから構成される。制御部は、外部からの各種信号（例えば、ＥＣＵ（Electric Control Unit）など）に基づいて、車両の状態（車速、エンジンの回転数、残燃料、各種警告や状態などを含む。）をユーザに報知するために、指針駆動部１０５ｂ、第１〜第５光源１０６ａ〜１０６ｅ、第１液晶表示装置１１１、第２液晶表示装置１１２、第３液晶表示装置１１３、及び、指針用液晶表示装置１１５を制御する。
【００１６】
指針駆動部１０５ｂは、ステッピングモータ（図示せず）、指針軸などから構成される。指針軸は、ステッピングモータに取り付けられる。ステッピングモータは、基材１０５ａの裏面に実装され、制御部の制御のもとで指針軸を回転させる。指針軸は、基材１０５ａに設けられた貫通孔を介してステッピングモータから基材１０５ａの表面側に延びている。図１の指針駆動部１０５ｂは、指針軸の部分である。さらに、指針軸は、第２筐体部材１０７に設けられた貫通孔１０７ａを通り、第２筐体部材１０７前方に延びている。指針軸の先端には、指針１１４が取り付けられる。
【００１７】
第１〜第５光源１０６ａ〜１０６ｅは、ＬＥＤ（Light Emitting Diode）などから構成され、制御部の制御のもとで点灯（上方向に光を出射）又は消灯する。複数の第１光源１０６ａが第１導光部材１２１の受光部に対向する位置に設けられる。複数の第２光源１０６ｂが第２導光部材１２２の受光部に対向する位置に設けられる。複数の第３光源１０６ｃが第３導光部材１２３の受光部１２３ａｆに対向する位置に設けられる（図６など）。複数の第４光源１０６ｄが第４導光部材１２４の受光部に対向する位置に設けられる。複数の第５光源１０６ｅが設けられる。複数の第５光源１０６ｅそれぞれは、第１図柄表示板１３１と第２図柄表示板１３２とに設けられた複数の図柄（所定の情報を表す図柄）それぞれを照明する位置（図柄に対向する位置であり、平面視した場合に図柄と重なる位置）に設けられる（図５など）。
【００１８】
第２筐体部材１０７は、合成樹脂などから形成される。第２筐体部材１０７は、第１筐体部材１０３の開口を塞ぐように、回路基板１０５を収納した第１筐体部材１０３に取り付けられる。第１筐体部材１０３に収納された回路基板１０５は、第２筐体部材１０７の後方に位置することになる。
【００１９】
第２筐体部材１０７には、指針用液晶表示装置１１５を収納する空間１０７ｂが設けられている。また、第２筐体部材１０７には、指標部１２９内に入り込む前方に張り出した壁部１０７ｃが設けられている。第２筐体部材１０７には、第１〜第４導光部材１２１〜１２４の一部それぞれが挿入される第１〜第４挿入孔１０８ａ〜１０８ｄが設けられる。また、第２筐体部材１０７には、第１〜第４挿入孔１０８ａ〜１０８ｄの周囲には後述の段差部が設けられる（図２などを参照、図１では省略）。第１〜第４挿入孔１０８ａ〜１０８ｄは、第２筐体部材１０７の前の空間と後の空間とを連通させる貫通孔である。平面視した場合に、第１〜第４挿入孔１０８ａ〜１０８ｄそれぞれは、第１〜第４光源１０６ａ〜１０６ｄそれぞれを囲む（図２など）。第２筐体部材１０７には、複数の導光路１０８ｅが設けられる。複数の導光路１０８ｅそれぞれは、第２筐体部材１０７の前の空間と後の空間とを連通させる貫通孔であり、第５光源１０６ｅからの光を第１図柄表示板１３１又は第２図柄表示板１３２に設けられた図柄に導く。平面視した場合に、複数の導光路１０８ｅそれぞれは、複数の第５光源１０６ｅそれぞれを囲む（図２など）。第２筐体部材１０７の色は、光を効率的に導くために白色などである。第２筐体部材１０７の構成については後でさらに詳述する。
【００２０】
第２筐体部材１０７には、第１液晶表示装置１１１、第２液晶表示装置１１２、第３液晶表示装置１１３それぞれを収納する空間が設けられる。第１液晶表示装置１１１、第２液晶表示装置１１２、第３液晶表示装置１１３は、それぞれ、回路基板１０５の各端子に接続された状態で第２筐体部材１０７に収納される。図１では、第１液晶表示装置１１１、第２液晶表示装置１１２、第３液晶表示装置１１３は、それぞれ、第２筐体部材１０７に収納されている。
【００２１】
第１液晶表示装置１１１、第２液晶表示装置１１２、第３液晶表示装置１１３それぞれは、制御部の制御のもとで、所定の情報を表示する。例えば、第１液晶表示装置１１１は残燃料を、第２液晶表示装置１１２はエンジンの回転数を、第３液晶表示装置１１３は現在のギアの状態を表示する。
【００２２】
指針１１４は、合成樹脂などから形成される。指針１１４は、指針駆動部１０５ｂの指針軸に取り付けられる。指針１１４は、指針軸の回転に伴って回転する。指針１１４は、指針軸から指針用液晶表示装置１１５の側方に延び、指針用液晶表示装置１１５の表面側（前方に向く方）に回り込み、そして、指標部１２９の貫通孔１２９ａ内を通り、指標部１２９の指標を支持するように先端が外側を向く形状で形成されている。
【００２３】
指針用液晶表示装置１１５は、空間１０７ｂに収納される。なお、第２筐体部材１０７（空間１０７ｂを形成する部分の所定位置）には、図示しない貫通孔が設けられ、回路基板１０５の端子に接続された配線がこの貫通孔を通り指針用液晶表示装置１１５に接続される。また、第２筐体部材１０７の空間１０７ｂを形成する部分の下部には、図示しない支持部が前方に突出するように設けられ、指針用液晶表示装置１１５がこの支持部に取り付けられる。これによって、指針用液晶表示装置１１５は、空間１０７ｂを形成する底面から間隔を空けて支持され、指針１１４の折れ曲がった部分に挟まれる位置で支持される。指針用液晶表示装置１１５は、制御部の制御のもと、走行距離などの所定の情報を表示する。
【００２４】
第１〜第４導光部材１２１〜１２４それぞれは、板状の部材である。第１〜第４導光部材１２１〜１２４それぞれは、下部が第１〜第４挿入孔１０８ａ〜１０８ｄそれぞれに挿入されて、第２筐体部材１０７に取り付けられる。第１〜第４導光部材１２１〜１２４それぞれは、第１〜第４光源１０６ａ〜１０６ｄそれぞれからの光を受光し、受光した光を上方（前方）に導光して、上端部（前端部）から出射する。この実施の形態では、上端部が線状（この実施の形態では、曲線であるが、直線であってもよい。）になっているので、第１〜第４導光部材１２１〜１２４それぞれの発光部分は、その上端部によって、線状となる。第１〜第４導光部材１２１〜１２４などについての詳細は後述する。
【００２５】
指標部１２９は、合成樹脂などによって形成されている。指標部１２９は、例えば、透明な板材に絞り加工などを施して得られる部材（前後方向に高さを有するように立体的に形成した部材）に塗装などを施して形成される。指標部１２９は、平面視したときにドーナツ形状を有する。前記塗装などによって、指標が表現される。指標は、複数の目盛１２９ｂと、複数の目盛１２９ｂのうちの所定の複数の目盛１２９ｂに対応して設けられる図示しない数字など（車速を表す数字）と、から構成される。指標部１２９前方には、指針１１４の先端部が、指標部１２９中央の貫通孔１２９ａから回り込んでおり、この指針１１４によって目盛１２９ｂが指示される。これによって、この実施の形態では車速をユーザに示す。具体的には、制御部は、外部からの信号に基づいて車速を特定し、特定した車速に基づいて指針駆動部１０５ｂを制御し、特定した車速に応じた回転角で指針駆動部１０５ｂの指針軸を回転させる。この指針軸の回転にともなって指針１１４が回転することで、回転する指針１１４が示す方向と目盛１２９ｂとの対比で、ユーザは車速を認識する。
【００２６】
第１図柄表示板１３１は、合成樹脂製の透明な板材に印刷や塗装などによって複数の図柄１３９などを形成したものである（図１では図示せず）。図柄１３９などについては後述する。また、第１図柄表示板１３１には、第１貫通孔１３５ａ、第２貫通孔１３５ｂが形成される。第１図柄表示板１３１は、第２筐体部材１０７の上面（前面）１０７ｘ上に配置される。このとき、第１貫通孔１３５ａには、第２筐体部材１０７に挿入された第１導光部材１２１が通り、第２貫通孔１３５ｂには、第２筐体部材１０７に挿入された第２導光部材１２２が通る。また、第１図柄表示板１３１には、第１液晶表示装置１１１の表示内容をユーザに見せるための透明部分１３１ａと、第２液晶表示装置１１２の表示内容をユーザに見せるための透明部分１３１ｂと、が設けられている。透明部分１３１ａと、透明部分１３１ｂと、は、前記透明な板材のうち前記印刷や塗装などが施されない部分で形成されている。つまり、透明な板材のうち、平面視したときに第１液晶表示装置１１１及び第２液晶表示装置１１２が位置する領域に印刷や塗装などを施さないことによって、透明部分１３１ａと透明部分１３１ｂとが形成される。
【００２７】
第２図柄表示板１３２は、合成樹脂製の透明な板材に印刷や塗装などによって複数の図柄１３９などを形成したものである（図１では図示せず）。図柄１３９などについては後述する。また、第２図柄表示板１３２には、第３貫通孔１３５ｃ、第４貫通孔１３５ｄが形成される。第２図柄表示板１３２は、第２筐体部材１０７の上面１０７ｘ上に配置される。このとき、第３貫通孔１３５ｃには、第２筐体部材１０７に挿入された第３導光部材１２３が通り、第４貫通孔１３５ｄには、第２筐体部材１０７に挿入された第４導光部材１２４が通る。また、第２図柄表示板１３２には、第３液晶表示装置１１３の表示内容をユーザに見せるための透明部分１３２ａが設けられている。透明部分１３２ａは、前記透明な板材のうち前記印刷や塗装などが施されない部分で形成されている。つまり、透明な板材のうち、平面視したときに第３液晶表示装置１１３が位置する領域に印刷や塗装などを施さないことによって、透明部分１３２ａが形成される。
【００２８】
見返し部材１４１は、両端開口の筒状であり、平面視した場合に、第１〜第４導光部材１２１〜１２４、第１〜第２図柄表示板１３１〜１３２に設けられた図柄、第１液晶表示装置１１１、第２液晶表示装置１１２、第３液晶表示装置１１３、指針式計器部（指針１１４、指標部１２９、指針用液晶表示装置１１５などから構成される。）などの各種部材を囲む。見返し部材１４１は、合成樹脂などで形成され、各種部材の表示物などが見やすいように、黒色に形成される。
【００２９】
窓部材１４３は、見返し部材１４１の前側の開口を閉じるように、見返し部材１４１に取り付けられる。窓部材１４３は、透明であり、合成樹脂などによって形成される。ユーザは、透明な窓部材１４３を介して、第１〜第４導光部材１２１〜１２４、第１〜第２図柄表示板１３１〜１３２に設けられた図柄、第１液晶表示装置１１１、第２液晶表示装置１１２、第３液晶表示装置１１３、指針式計器部などを視認することができる。
【００３０】
ここで、第１〜第４導光部材１２１〜１２４、第２筐体部材１０７、第１図柄表示板１３１、第２図柄表示板１３２などについてさらに詳しく説明する。
【００３１】
第１図柄表示板１３１及び第２図柄表示板１３２に設けられる図柄１３９は、図２などでは、丸印で簡略化されて描かれているが、実際の図柄１３９は、各種の情報を表わすマーク（所謂表示灯や警告灯のマークなど）として形成される。各図柄１３９は、それぞれが異なる情報を表す。各図柄１３９が表す情報は、この実施の形態では、車両の状態の情報（警告なども含む。）である。図柄１３９としては、たとえば、油圧警告灯のマーク、シートベルト非着用警告灯のマーク、燃焼残量警告灯のマーク、ドア／テールゲート開閉警告灯のマーク、充電警告灯のマーク（図７（Ａ）参照）、ＡＢＳ警告灯のマーク、ヘッドランプ上向き表示灯のマーク（図７（Ｂ）参照）、ライト点灯表示灯のマーク、方向指示器表示灯のマーク（図７（Ｃ）及び（Ｄ）参照）、ブレーキ警告灯のマーク（図７（Ｅ）参照）などがある。
【００３２】
第１図柄表示板１３１又は第２図柄表示板１３２の透明な板材のうち、例えば、各図柄１３９を設ける部分に白色などの透光性着色層を印刷などによって形成する。その後、透光性着色層が設けられた透明な板材の透明部分１３１ａ、１３１ｂ又は透明部分１３２ａ以外の領域に、各図柄１３９を抜いた黒色などの遮光性着色層を印刷などによって形成する。これによって、図柄１３９は、遮光性着色層の無い部分（透光性着色層が露出している部分）で表現される。図柄１３９は、第５光源１０６ｅによって照明されないときには目立たない。
【００３３】
各図柄１３９は、各第５光源１０６ｅに対応して形成される。具体的には、平面視した場合に、１つの図柄１３９が、１つの導光路１０８ｅ（特に第５光源１０６ｅ側の端部）に囲まれており、１つの第５光源１０６ｅに重なる（図２など）。これによって、１つの第５光源１０６ｅからの光は、導光路１０８ｅ内を進み（導光路１０８ｅ内の内面で適宜反射されて導光される。）、図柄１３９を透過して出射する。このように、第５光源１０６ｅの点灯によって図柄１３９は下側から照明され（図５の出射光参照、なお、図５では第５光源１０６ｅ及び第３液晶表示装置１１３について断面を表すハッチングを省略した。）、その図柄１３９が点灯して見え（たとえば油圧警告灯が点灯して見え）、ユーザは警告灯、表示灯などが点灯されたこと（この図柄１３９が表示されたこと）を認識する。ユーザは警告灯、表示灯などが点灯すること（図柄１３９が表示されたこと）によって、点灯した警告灯、表示灯などのマーク（表示された図柄１３９）が表す情報がユーザに報知される。例えば、表示された図柄１３９が燃焼残量警告灯のマークであれば、燃焼残量が少ないとの警告が報知される。なお、第５光源１０６ｅを、対応する図柄１３９に応じて、白色、赤色、緑色、又は、青色などの発光色で発光するものとすることによって、図柄１３９を所定の色で点灯させることができる。複数の図柄１３９は、第１〜第４貫通孔１３５ａ〜１３５ｄそれぞれを挟む配置になっている。つまり、天井地面方向において、第１〜第４貫通孔１３５ａ〜１３５ｄそれぞれについて、内側及び外側に図柄１３９が配置されている。
【００３４】
なお、この実施の形態では、図柄１３９と第５光源１０６ｅとは一対一で対応するが、たとえば１つの図柄１３９について複数の第５光源１０６ｅが設けられてもよい。また、図柄を遮光性着色層で形成し周囲を透光性着色層で形成して図柄１３９を表現してもよい。
【００３５】
第１導光部材１２１と第３導光部材１２３とは、形状が左右対称になっているだけで、同じ構造になっている。第２導光部材１２２と第４導光部材１２４とは、形状が左右対称になっているだけで、同じ構造になっている。第１導光部材１２１及び第３導光部材１２３と、第２導光部材１２２及び第４導光部材１２４とは、大きさなどが異なるだけで、ほぼ同じ構造になっている。以下では、第３導光部材１２３を例にとって、その詳細な構造を説明する。
【００３６】
第３導光部材１２３は、板状の部材であり、平面視した場合に左右方向に長尺な形状を有する。第３導光部材１２３は、左右方向に長尺な形状で、光を透過して導光する透光部１２３ａと、透光部１２３ａの側面を囲んで形成される遮光部１２３ｂと、から構成されている。遮光部１２３ｂは、透光部１２３ａと密着している。ここでの密着とは、接着剤などの他の物（空気などを含む）を介さずに、遮光部１２３ｂと透光部１２３ａとが直接接着されていることをいう。たとえば、遮光部１２３ｂと透光部１２３ａとは、融着によって接着される。たとえば、遮光部１２３ｂと透光部１２３ａとは、透光部１２３ａを金型にインサートして遮光部１２３ｂを成型するインサート成型などによって形成される。遮光部１２３ｂと透光部１２３ａとは、密着することによって、一体化している。インサート成形によって、第３導光部材１２３を安価で作成できる。
【００３７】
透光部１２３ａは、合成樹脂などから形成され、透明である。透光部１２３ａは、第２筐体部材１０７の第３挿入孔１０８ｃ内に入り込む下部１２３ａａと、第３挿入孔１０８ｃ内に入り込まない上部１２３ａｂと、を備える。さらに、透光部１２３ａは、上部１２３ａｂの下端から左右方向及び天井地面方向を含む面内方向に張り出した透光性フランジ１２３ａｃを備える。
【００３８】
遮光部１２３ｂは、合成樹脂などで形成される。遮光部１２３ｂは、透光部１２３ａ内を進み遮光部１２３ｂに到達する光を吸収するように所定の色（ここでは、黒色であり、黒色系（灰色なども含む。）の暗い色であることが望ましい。）で形成される。遮光部１２３ｂは、透光部１２３ａの上部１２３ａｂの上端部１２３ａｄを露出させるとともに、上部１２３ａｂのそれ以外の部分を覆う。特に遮光部１２３ａは、上部１２３ａｂの側面（フランジ１２３ａｃ以外の部分）のうちの上端部１２３ａｄ以外の側面全面を覆う。また、遮光部１２３ｂは、透光性フランジ１２３ａｃを上から覆う遮光性フランジ１２３ｂａを備える。
【００３９】
透光性フランジ１２３ａｃと遮光性フランジ１２３ｂａとは第３導光部材１２３のフランジ部を形成する。第３導光部材１２３のフランジ部を抜いた部分を第３導光部材１２３とすれば、フランジ部は板状の第３導光部材本体から張り出した部分となる。なお、このフランジ部は、遮光性フランジ１２３ｂａのみから形成するようにしてもよい。図２などに示すように（図１では省略）、第２筐体部材１０７の第３挿入孔１０８ｃの周囲には、第２筐体部材１０７の上面１０７ｘから前記フランジ部の上下方向の長さ（フランジ部の厚さ）だけ下に下がった第３段差部１０７ｃｃが設けられている。第３段差部１０７ｃｃは、平面視したときにフランジ部と同様の形状を有しており、フランジ部を収納する。フランジ部の上面は、第２筐体部材１０７の上面１０７ｘよりも上に位置しないようになっている。
【００４０】
また、第３挿入孔１０８ｃには、ツメ１０８ｃａが設けられている。なお、この実施の形態では、ツメ１０８ｃａはひとつのみだが、所定箇所に複数設けてもよい。ツメ１０８ｃａは、弾性移動可能になっている。一方、第３導光部材１２３の下部１２３ａａにはツメ１０８ｃａが引っ掛かる突出部１２３ａｅが設けられている。
【００４１】
第３導光部材１２３の下部１２３ａａが第３挿入孔１０８ｃ内に挿入されると、透光性フランジ１２３ａｃと遮光性フランジ１２３ｂａとで構成されるフランジ部が第３段差部１０７ｃｃの下面に当たり、第３導光部材１２３は、それ以上第３挿入孔１０８ｃ内に入り込まなくなる。これとともに、ツメ１０８ｃａが突出部１２３ａｅに引っ掛かる。これによって、第３導光部材１２３は、第２筐体部材１０７に下部１２３ａａが挿入された状態で固定されることになる。なお、固定方法は、このような方法に限らず、第３導光部材１２３の下部１２３ａａを第３挿入孔１０８ｃに嵌合させるなどしてもよい。フランジ部を段差部１０７ｃｃの側面に嵌合させるなどしてもよい。また、後述の第４導光部材１２４と同様に挿入されただけで、特に固定されていなくてもよい。
【００４２】
第１導光部材１２１及び第１挿入孔１０８ａも、第３導光部材１２３及び第３挿入孔１０８ｃと同様の構成を有し、また、第２筐体部材１０７の第１挿入孔１０８ａの周囲には第１導光部材１２１のフランジ部が収納される第１段差部（第３段差部１０７ｃｃに対応するもの）が設けられる。このため、第１導光部材１２１は、第３導光部材１２３と同様に、第２筐体部材１０７に下部が挿入された状態で固定されることになる。
【００４３】
第４導光部材１２４及び第４挿入孔１０８ｄも、第３導光部材１２３及び第３挿入孔１０８ｃと同様の構成を有する（この実施の形態ではツメ等による固定はない）。例えば、第４導光部材１２４は、透光部１２４ａ及び遮光部１２４ｂを有し、また、透光部１２４ａの透光性フランジ部と遮光部１２４ｂの遮光性フランジ部とから構成されるフランジ部が構成される。また、第２筐体部材１０７の第４挿入孔１０８ｄの周囲には第４導光部材１２４のフランジ部が収納される第４段差部１０７ｃｄが設けられる。第４導光部材１２４は、第３導光部材１２３と同様に、第２筐体部材１０７に下部が挿入されて、第４導光部材１２４は第２筐体部材１０７に取り付けられることになる。この実施の形態では、第４導光部材１２４は、第２筐体部材１０７に固定はされないが、後述のように第２図柄表示板１３２が配置されることによって、第４導光部材１２４の第２筐体部材１０７からの脱落などは防止される。なお、第４導光部材１２４及び第４挿入孔１０８ｄについて、第３導光部材１２３の場合と同様にツメ等による固定の構成を採用してもよい。
【００４４】
第２導光部材１２２及び第２挿入孔１０８ｂも、第４導光部材１２４及び第４挿入孔１０８ｄと同様の構成を有し、また、第２筐体部材１０７の第２挿入孔１０８ｂの周囲には第２導光部材１２２のフランジ部が収納される第２段差部（第４段差部１０７ｃｄに対応するもの）が設けられる。このため、第２導光部材１２２は、第４導光部材１２４と同様に、第２筐体部材１０７に下部が挿入されて、第２導光部材１２２は第２筐体部材１０７に取り付けられることになる。なお、第４導光部材１２４の場合と同様に第２導光部材１２２及び第２挿入孔１０８ｂについてツメなどによる固定の構成を採用してもよい。
【００４５】
また、第３導光部材１２３を照明する第３光源１０６ｃは１以上設けられればよいが（ここでは２つ）、第３光源１０６ｃは、第３導光部材１２３の長尺方向（ここでは、左右方向）の一端側（ここでは、指針式計器側である左側）に偏在している。このため、第３導光部材１２３の受光部１２３ａｆも一端側に位置している。受光部１２３ａｆは、第３導光部材１２３（下部１２３ａａ）の最も下側にある最下面（回路基板１０５に最も近い面）であり、第３光源１０６ｃと対向する。
【００４６】
第３光源１０６ｃからの光は、受光部１２３ａｆで受光され、透光部１２３ａで導光されて、上端部１２３ａｄから出射する。つまり、上端部１２３ａｄは、発光する。透光部１２３ａ内では透光部１２３ａと空気との境となる内面（下部１２３ａａの内面）及び透光部１２３ａと遮光部１２３ｂとの境となる内面（上部１２３ａｂの内面）などで透光部１２３ａ内を進む光が反射される。このような反射（内面反射）によって、透光部１２３ａは光を導光する。ここで、第３光源１０６ｃは、一端側に偏在するので、光は上端部１２３ａｄの一端側（左側）から多く出射し、他端側（右側）に行けば行くほど光の出射量（つまり、出射される光の光量）が徐々に少なくなる。このため、上端部１２３ａｄは、一端側が明るく見え、他端側に行くに従って暗くなっていく明暗のグラデーション状に光って見える（図２の第１導光部材１２１の上端部１２１ａｄや第２導光部材１２２の上端部１２２ａｄ参照）。なお、この実施形態では、前記の一端及び他端は、それぞれ、第３導光部材１２３の長尺方向（左右方向）における一端及び他端である。
【００４７】
なお、従来のように透光部１２３ａと光を吸収する遮光部１２３ｂとを別部材として組み合わせた場合、透光部１２３ａと遮光部１２３ｂとの間に空気層などが出来てしまう。この空気層によって、遮光部１２３ｂがあったとしても透光部１２３ａ内を進む光は内面反射するときに全反射してしまう。このような場合、一端側と他端側とで出射する光量の差が大きくなく、発光する上端部１２３ａｄについて十分な明暗のグラデーションが得られない場合があった。
【００４８】
この実施の形態では、透光部１２３ａと、光を吸収する遮光部１２３ｂと、が密着しているので、透光部１２３ａと遮光部１２３ｂとの境となる透光部１２３ａの内面（遮光部１２３ｂとの境界）に到達した光（遮光部１２３ｂに到達した光）のうちの一部が遮光部１２３ｂに吸収され、残りの一部が内面反射される（図６参照、図６の矢印は第３光源から出射された光の一部の進路を表す。）。これによって、上端部１２３ａｄが発光するときに、他端側に近づくに従ってより上端部１２３ａｄが暗くなっていく。このため、従来よりも、グラデーションの明暗の差（最も暗い部分と最も明るい部分との明るさの差）がはっきりとし（前記明るさの差が大きくなり）、明暗のグラデーションが強調される。これによって、計器装置１０のデザインが良くなる。なお、透光部１２３ａの内面に到達した光の理想的には全部が遮光部１２３ｂに吸収されるようにしてもよい。このようにすれば、上端部１２３ａｄが発光するときに、他端側に近づくに従ってより上端部１２３ａｄが暗くなっていく。このため、従来よりも、グラデーションの明暗の差がはっきりとし、明暗のグラデーションが強調される。このような密着の構成は、特に、第３導光部材１２３の長尺方向の長さを長く取れないときに有効である。なお、遮光部１２３ｂが吸収する光とは、可視光であればよく、また、第３光源１０６ｃからの光であればよい。
【００４９】
また、第３導光部材１２３（下部１２３ａａ）の下面は、受光部１２３ａｆ（回路基板１０５の上面と平行な受光面）の他、回路基板１０５の上面に対して傾斜を有する傾斜面１２３ａｇも備える。この傾斜面１２３ａｇは、受光部１２３ａｆに繋がる面であり、受光部１２３ａｆから他端側に向かって（受光部１２３ａｆから受光部１２３ａｆよりも他端側の所定箇所まで）延びる面である。この傾斜面１２３ａｇは、受光部１２３ａｆから前記の他端側に向かうほど回路基板１０５から遠ざかる傾斜面となっている。この傾斜面１２３ａｇに到達した光は、上端部１２３ａｄの前記一端側に向かって反射しやすくなっており、上端部１２３ａｄの前記一端側がより明るくなり、グラデーションの明暗の差がはっきりとし、明暗のグラデーションが強調されるようになっている。
【００５０】
なお、回路基板１０５上に第３光源１０６ｃからの光が、前記他端側に進んで第３導光部材１２３（下部１２３ａａ）の下面の他端側から入射しないように、当該第３光源１０６ｃからの光を遮る壁９９を設けても良い（図６において点線で描いた壁９９参照）。これによって、上端部１２３ａｄの前記他端側が不必要に明るくならず、グラデーションの明暗の差がよりはっきりとし、明暗のグラデーションがより強調される。なお、上記傾斜部１２３ａｇがあることによって、当該壁９９を高くでき、上端部１２３ａｄの前記他端側が不必要に明るくなることをより効果的に抑制することができる。
【００５１】
第１導光部材１２１、第２導光部材１２２、第４導光部材１２４についても同様に構成され、各上端部１２１ａｄ、上端部１２２ａｄ、上端部１２４ａｄは、一端側（指針１１４側）が明るく光る明暗のグラデーションを持って発光する。
【００５２】
第３導光部材１２３は、下部１２３ａａが第２筐体部材１０７の第３挿入孔１０８ｃに挿入され、第２図柄表示板１３２内に設けられた第３貫通孔１３５ｃを通り、その一部が第２図柄表示板１３２から上方に突出している。これは、第１導光部材１２１、第２導光部材１２２、第４導光部材１２４についても同様である。このような構成によって、図柄１３９を表示する部分を立体的にすることができ、計器装置１０のデザインが良くなる。
【００５３】
特に、第３貫通孔１３５ｃが少なくとも２つの図柄１３９の間に挟まれており、これによって第３導光部材１２３は、少なくとも２つの図柄１３９の間に挟まれた位置にあるので（図２などを参照）、第３導光部材１２３と当該第３導光部材１２３を挟む図柄１３９との対比で図柄１３９を表示する部分を立体的な形状で表現でき、計器装置１０のデザインが良くなる。これは、第１導光部材１２１、第２導光部材１２２、第４導光部材１２４についても同様である。
【００５４】
また、上下方向において、第３導光部材１２３の上端部１２３ａｄの最も高い部分（頂部）が、指標部１２９の最も高い部分（頂部）よりも高い位置にあるので、図柄１３９を表示する部分についてより立体感を表現でき、計器装置１０のデザインが良くなる。これは、第１導光部材１２１についても同様である。なお、第３導光部材１２３の上端部１２３ａｄの最も高い部分（頂部）が指標部１２９の最も高い部分（頂部）と同じ高さとしてもよく、これによっても図柄１３９を表示する部分について立体感を表現でき、計器装置１０のデザインが良くなる。なお、第３導光部材１２３の上端部１２３ａｄの最も高い部分（頂部）が、指標部１２９の数字など（車速を表す数字）を表す部分（指標部１２９の目盛１２９ｂの内側の平板部分１２９ｘ）よりも高いか同じ位置になるように、第３導光部材１２３の高さを設定してもよい。これによっても立体感を表現できる。
【００５５】
また、第３導光部材１２３の上端部１２３ａｄが所定の色で発光することで、何らかの情報をユーザに報知するようにしてもよい。例えば、回路基板１０５の制御部は、外部からの信号に基づいて、ユーザに所定の情報を報知すると判定した場合に、第３光源１０６ｃを点灯させ、上端部１２３ａｄを発光させてもよい。この発光によって前記の所定の情報を報知してもよい。例えば、制御部は、アクセルの踏み込み量を示す信号を外部から受け取り、この信号によって示される踏み込み量が所定量未満であれば、現在燃費が良いとしてその旨を報知するために、第３光源１０６ｃを点灯させ、上端部１２３ａｄを発光させてもよい。なお、制御部は、通常は、前記所定の色（例えば緑色）以外の色（例えば白色）で第３光源１０６ｃを発光させることで、上端部１２３ａｄを当該色で発光させ、所定の情報を報知する場合には前記所定の色で第３光源１０６ｃを発光させるようにしてもよい。このような場合、第３光源１０６ｃを多色ＬＥＤとして発光色を変更させてもよいし、前記所定の色に発光する第３光源１０６ｃとそれ以外の色に発光する第３光源１０６ｃとを用意して発光する第３光源１０６ｃを切り替えるようにしてもよい。第３導光部材１２３のような立体的なもの（ユーザの目に付きやすいものである）を所定の情報の報知に使用することによって、ユーザは当該所定の情報に注目し易くなり、計器装置１０のデザインが良くなるとともに機能性が向上する。特に、上端部１２３ａｄの頂部が、指標部１２９の最も高い部分（頂部）よりも高い位置又は同じ位置にあると、上端部１２３ａｄでの発光をユーザがより注目しやすいので、計器装置１０のデザインが良くなるとともに機能性が向上する。このようなことは、第１導光部材１２１、第２導光部材１２２、第４導光部材１２４についても同様である。
【００５６】
さらに、上端部１２３ａｄは、上下方向における上端部１２３ａｄの高さが場所によって異なるようになっているので（ここでは、上端部１２３ａｄの一部が一端側に近づくほど徐々に低くなっているので）、図柄１３９を表示する部分について、立体的な形状が得られ、計器装置１０のデザインが良くなる。なお、この第３導光部材１２３は、平板状の第２図柄表示板１３２からその一部が突き出るように設けられるため、第２図柄表示板１３２の平面が基準となり、高さの変化を強調して表現できる。また、第３導光部材１２３は、複数の図柄１３９の間の視認性の高い位置に設けられるだけでなく、この平面に対して略垂直に立った状態で設けられるため、小さな表示スペースであっても、第２図柄表示板１３２よりもユーザ側に近い位置で存在感のある発光（例えば、発光による所定情報の報知等も含む。）ができる。これらは、第１導光部材１２１、第２導光部材１２２、第４導光部材１２４についても同様である。
【００５７】
また、第３導光部材１２３は、長尺方向とは異なる方向に向かって他端側の部分が曲がっている。これによって、導光された光が他端側に到達しづらくなり、他端側が真っ直ぐな場合よりも曲がっていた場合の方がより暗くなりグラデーションの明暗の差がよりはっきりする。これは、第１導光部材１２１、第２導光部材１２２、第４導光部材１２４についても同様である。
【００５８】
ここで、計器装置１０の組み立ての概略を説明する。まず、回路基板１０５を収納した第１筐体部材１０３に第２筐体部材１０７を取り付ける。その後、第１〜第３液晶表示装置１１１〜１１３を回路基板１０５の制御部に接続した状態で第２筐体部材１０７に収納させる。また、第２筐体部材１０７に設けられた貫通孔１０７ａ内を通って第２筐体部材１０７の前方に出ている指針駆動部１０５ｂの指針軸に指針１１４を取り付ける。その後、指針用液晶表示装置１１５を制御部に接続した状態で空間１０７ｂに収納する。そして、第２筐体部材１０７に第１〜第４導光部材１２１〜１２４を取り付ける。さらに、指標部１２９の後ろ側の凹部に壁部１０７ｃが入り込むようにして第２筐体部材１０７上に指標部１２９を配置する。
【００５９】
その後、上から、第１貫通孔１３５ａ及び第２貫通孔１３５ｂそれぞれに第１導光部材１２１及び第２導光部材１２２それぞれを通して、第１図柄表示板１３１を第２筐体部材１０７の上面１０７ｘ上に配置する。さらに、上から、第３貫通孔１３５ｃ及び第４貫通孔１３５ｄそれぞれに第３導光部材１２３及び第４導光部材１２４それぞれを通して、第２図柄表示板１３２を第２筐体部材１０７の上面１０７ｘ上に配置する。最後に窓部材１４３が取り付けられた見返し部材１４１を、第２筐体部材に固定して計器装置１０が完成する。
【００６０】
なお、見返し部材１４３と第２筐体部材１０７との間に第１図柄表示板１３１及び第２図柄表示板１３２が挟まれることによって、第１図柄表示板１３１及び第２図柄表示板１３２は移動しないように固定される。さらに、第１図柄表示板１３１及び第２図柄表示板１３２の一部が指標部１２９の外周端部に上から重なるので、指標部１２９の浮き上がりなども防止される。また、第１図柄表示板１３１及び第２図柄表示板１３２の一部（第１〜第４貫通孔１３５ａ〜１３５ｄの周辺部）が第１〜第４導光部材１２１〜１２４それぞれのフランジ部に上から重なるので、特に第２導光部材１２２、第４導光部材１２４の浮き上がりも防止される。
【００６１】
第３導光部材１２３のフランジ部は、遮光性フランジ１２３ｂａを有するので、遮光性を有する。そして、このフランジ部は、第３導光部材１２３の全周に渡って形成され、かつ、第２筐体部材１０７（具体的には段差部１０７ｃｃ）に当たるので、第３挿入孔１０８ｃは、このフランジ部によって塞がれる。これによって、第３挿入孔１０８ｃから漏れ出る光（第３光源１０６ｃからの光）の量を少なくする（無くすことも含む。）ことができる。このため、第３導光部材１２３周辺の見た目をよくすることができる。このようなことは、第１導光部材１２１、第２導光部材１２２、第４導光部材１２４についても同様である。
【００６２】
さらに、第３導光部材１２３のフランジ部は、第２図柄表示板１３２の第３貫通孔１３５ｃの周辺部の下に入り込む。この周辺部は、遮光性を有するので、第３挿入孔１０８ｃから漏れ出る光（第３光源１０６ｃからの光）の量をさらに少なくする（無くすことも含む。）ことができる。特に透光性フランジ１２３ａｃから漏れる光の量を、この周辺部によって少なくする（無くすことも含む。）ことができる。なお、フランジ部の上面の色とこの周辺部の色とを同じ色、近似する色、又は、同系色とすることによって、第３導光部材１２３と第２図柄表示板１３２とのつなぎ目を分かり難くし、この部分の見た目をよくすることができる。このようなことは、第１導光部材１２１、第２導光部材１２２、第４導光部材１２４についても同様である。
【００６３】
（変形例）
本発明は、上記実施形態などに限られず、上記実施形態などに様々な変形（構成の削除を含む。）を施してもよい。以下、変形例について記載するが、下記の各変形例の少なくとも一部同士を適宜組合せてもよい。
【００６４】
（変形例１）
上端部１２３ａｄは、透光部１２３ａの上端側の一部であって遮光部１２３ｂから露出している部分であればよい。上端部１２３ａｄは、透光部１２３ａの上面１２３ａｄａのみからなってもよい。上端部１２３ａｄは、透光部１２３ａの上面１２３ａｄａすべてを少なくとも含んでいることが望ましいが、透光部１２３ａの上面１２３ａｄａの一部が遮光部１２３ｂによって覆われていてもよく、この場合には上端部１２３ａｄは覆われた上面１２３ａｄａ以外の部分であって露出した部分になる。なお、上面１２３ａｄａは、この実施の形態のように上方向に向く平面の他、斜め上方向に向く平面、上方向又は斜め上方向に向かって突き出た凸面、上方向又は斜め上方向に向かって開口する凹面などであってもよい。このようなことは、第１導光部材１２１、第２導光部材１２２、第４導光部材１２４についても同様である。
【００６５】
（変形例２）
上記各部材の形状等は、適宜変更可能である。例えば、第３導光部材１２３は、曲がっていなくてもよい。また、上端部１２３ａｄの高さが一定であってもよい。このようなことは、第１導光部材１２１、第２導光部材１２２、第４導光部材１２４についても同様である。導光部材は、１つでもよい。また、指針１１４、指標部１２９なども、回路基板１０５に設けられた所定の光源などによって照明されるように構成されてもよい。例えば、指針１１４を、導光部材とし、光源からの光を受光して所定部分が発光するようにしてもよい。また、例えば、指標部１２９の一部（例えば、目盛１２９ｂ）を透光性とし、指標部１２９に導光部材を設けてもよい。この場合、導光部材が光源からの光を導光して出射し、出射した光は、指標部１２９の透光性の部分を透過する。これによって、指標部１２９の透光性の部分を発光させるようにしてもよい。
【００６６】
（変形例３）
第１図柄表示板１３１又は第２図柄表示板１３２は、上記の実施形態では平板状であるが、絞り加工などによって凹凸が設けられてもよい。これによって、図柄を表示する部分の立体感が増す。
【００６７】
（変形例４）
第１筐体部材１０３と第２筐体部材１０７とは、別部材とせずに１つの部材としてもよい。第２図柄表示板１３２などは、第１筐体部材１０３と第２筐体部材１０７とを組み合わせた筐体部材上に配置されているとしてもよく、第１筐体部材１０３と第２筐体部材１０７とを１つのものとした筐体部材上に配置されてもよい。筐体部材の形状等は適宜変更可能である。第１〜第５光源１０６ａ〜１０６ｅは、これら筐体部材内に配置されればよい。
【００６８】
（変形例５）
例えば、第３導光部材１２３は、上部（上記では例えば上部１２３ａｂ及びその側面を覆う遮光部１２３ｂからなる。）及び下部（上記では例えば下部１２３ａａからなる。）を備え、前記上部のうちの上端部以外の部分の側面（上端部以外のすべての側面でなくてもよい。）が遮光されており（上記では例えば遮光部１２３ｂで遮光されている。）、前記下部（上記では例えば下部の受光面１２３ａｆ）で光源（上記では例えば第３光源１０６ｃ）からの光を受光し、受光した光を内部で上方に導光し（上記では例えば透光部１２３ａ内の内面反射などで光が導光される。）、導光した光を前記上端部（上記では例えば上端部１２３ａｄ）から出射するものであればよい。
【００６９】
また、例えば、前記導光部材の前記下部は、筐体部材（上記では例えば第１〜第５光源１０６ａ〜１０６ｅを内部に収納する第１筐体部材と第２筐体部材を組み合わせたもの）に設けられた挿入孔（上記では例えば第３挿入孔１０８ｃ）に挿入され、前記導光部材の前記上部は、図柄表示板（上記では例えば第２図柄表示板１３２）内に設けられた貫通孔（上記では例えば第３貫通孔１３５ｃ）を通って前記図柄表示板から上方に突き出ていればよい。また、前記貫通孔は、前記図柄表示板に設けられた少なくとも第１図柄（上記では例えば第３導光部材１２３よりも天井側にある図柄１３９）と第２図柄（上記では例えば第３導光部材１２３よりも地面側にある図柄１３９）との間に配置されていればよく、前記導光部材は、少なくとも前記第１図柄と前記第２図柄との間に配置されていればよい。例えば、前記導光部材の前記上部の高さは、どのような高さであってもよい。
【００７０】
このため、例えば、遮光部１２３ｂは、受光部１２３ａｆ及び上端部１２３ａｄを露出させていればよく（受光部１２３ａｆ及び上端部１２３ａｄのみを露出する場合と、それ以外の部分を含んで露出する場合とを含む。）、その形状は適宜変更可能である。遮光部１２３ｂは、透光部１２３ａの下部１２３ａａの受光部１２３ａｆ以外の部分のうちの少なくとも一部を覆ってもよい。また、フランジ部などを備えなくてもよい。
【００７１】
特に、上記実施形態のように、前記上部（上記では例えば上部１２３ａｂ及びその側面を覆う遮光部１２３ｂからなる。）の前記図柄表示板から上方に突き出ている部分（ユーザが視認可能な部分）であって前記上端部以外の部分の側面全てを遮光するようにすることによって、例えば、第３導光部材１２３において、第２図柄表示板１３２から出ている側面のうちの上端部１２３ａｄ以外の側面からの光の出射を防止し、上端部１２３ａｄの発光を目立たせることができる。前記突き出ている部分の２つの主面（面積が大きい方の側面）のうち上端部以外の部分のみを遮光してもよい。形成してもよい。これによって、導光部材の発光部分が、主面以外の側面から上面に渡って線状になるので、計器装置１０のデザインが良くなる。
【００７２】
また、側面を遮光する際に上記実施形態のように、透光部１２３ａと遮光部１２３ｂとを用いる場合、透光部１２３ａと遮光部１２３ｂとは、密着していなくてもよく、別部材として構成されてもよい。さらに、遮光部１２３ｂは、透光部１２３ａで導光される光であって、遮光部１２３ｂに到達する光を吸収しなくてもよい。例えば、遮光部１２３ｂは、白色等の明るい色であってもよい。遮光する方法は、塗装などであってもよい。
【００７３】
これらは、第１導光部材１２１、第２導光部材１２２、第４導光部材１２４についても同様である。
【００７４】
（変形例６）
例えば、第３導光部材１２３などの導光部材は、光源（上記では例えば第３光源１０６ｃ）からの光を下面（上記では例えば受光部１２３ａｆ）で受光し、受光した前記光を導光して上面（上記では例えば上端部１２３ａｄの上面１２３ａｄａ）から出射し、前記上面から出射する光の光量を前記上面の第１の箇所から第２の箇所に向けて少なくするもの（上面１２３ａｄａがグラデーション状に発光するもの）であればよい。
【００７５】
さらに、例えば、前記導光部材は、前記下面と前記上面とを含んで構成され、前記下面で受光した光を導光して前記上面から出射する透光部（上記では例えば透光部１２３ａ）と、前記上面及び前記下面を露出させた状態で前記透光部材の側面上に設けられた遮光部（上記では例えば遮光部１２３ｂ）と、を有し、前記遮光部は、前記透光部と密着し、前記透光部で導光され前記遮光部に到達した光を吸収するものであればよい。
【００７６】
このため、前記導光部材は、第２図柄表示板１３２内から一部が突出するようなものでなくてもよい。前記導光部材は、計器装置１０以外の他の用途又は装置に使用するものでもよい。また、前記遮光部は、前記透光部材の側面全てに設けられなくても良い。但し、透光部のうちのユーザに視認される部分（遮光部１２３ｂが形成されていないと仮定した場合に視認される部分）の側面のうち、発光させたい部分（例えば上記では上端部１２３ａｄに含まれる側面であり、例えば上面近傍の側面など）以外の部分については全て遮光部を設けることによって、余計な部分については発光しないようにするとよい。つまり、前記遮光部は、ユーザに視認される部分のうち、発光させたい発光部（上面の一部を少なくとも含む部分）以外の部分上に設けるとよい。また、前記上面及び前記下面を露出させた状態とは、上面の少なくとも一部及び下面の少なくとも一部を露出させた状態であればよい。また、透光部のうちのユーザに視認される部分（遮光部１２３ｂが形成されていないと仮定した場合に視認される部分）の側面のうちの２つの主面（面積が大きい方の面）の上端部以外の部分を覆うように遮光部１２３ｂを形成してもよい。これによって、導光部材の発光部分が、主面以外の側面から上面に渡って線状になるので、計器装置１０のデザインが良くなる。
【００７７】
なお、上記実施の形態では、上記の第１の箇所（グラデーションにおいて最も明るいところ）を上面１２３ａｄａの一端（長尺方向における一端）とし、上記の第２の箇所（グラデーションにおいて最も暗いところ）を上面１２３ａｄａの他端（長尺方向における他端）としたが、第１の箇所と第２の箇所とは、発光する上面のいずれかの箇所であればよい。例えば、第１の箇所を例えば上面１２３ａｄａの中央とし、第２の箇所を上面１２３ａｄａの一端又は他端としてもよい。このような場合には、受光部１２３ａｆを第１の箇所に対応させて透光部１２３ａの下面中央とし、下面中央の受光部１２３ａｆに第３光源１０６ｃを対向させればよい。受光部１２３ａｆは、第１の箇所に対応する位置にあればよく、例えば、第１の箇所の下の位置にあればよい。傾斜面１２３ａｇは、第１の箇所に対応する位置の受光部１２３ａｆから透光部１２３ａの下面における第２の箇所に対応する部分（第２の箇所の下に位置する部分）に向かって延びる面（第２の箇所に対応する部分に到達していなくてもよい。）であればよく、そして、このような傾斜面１２３ａｇは、受光部１２３ａｆから第２の箇所に対応する部分に近づくほど回路基板１０５から遠ざかるように傾斜していればよい。
【００７８】
（変形例７）
計器装置１０は、車両以外の二輪車、飛行機、船、などの乗り物に使用されるものであってもよく、他の分野で使用されるものであってもよい。例えば、図柄１３９は、乗り物などの計器装置１０の取り付け対象の状態（警告など）を表す図柄であればよい。
【００７９】
（付記）
上記で説明された構成の少なくとも一部は、以下のように記載され得る。但し、本発明は、以下の記載に限定されるものではない。
【００８０】
（付記１）
筐体を構成する筐体部材と、
前記筐体部材上に配置され、第１情報を表す第１図柄と第２情報を表す第２図柄とが設けられ、前記第１図柄が下側から照明されることで前記第１図柄が表示され、前記第２図柄が前記第１図柄とは別個に下側から照明されることで前記第２図柄が表示される図柄表示板と、
上部及び下部を備え、前記上部のうちの上端部以外の部分の側面が遮光されており、前記下部で光源からの光を受光し、受光した光を内部で上方に導光し、導光した光を前記上端部から出射する導光部材と、を備え、
前記導光部材の前記下部は、前記筐体部材に設けられた挿入孔に挿入され、
前記導光部材の前記上部は、前記図柄表示板内に設けられた貫通孔を通って前記図柄表示板から上方に突き出ており、
前記貫通孔は、前記第１図柄と前記第２図柄との間に配置されており、前記導光部材は、前記第１図柄と前記第２図柄との間に配置されている、
ことを特徴とする計器装置。
【００８１】
（付記２）
前記第１図柄は、警告灯又は表示灯のマークであり、
前記第２図柄は、警告灯又は表示灯のマークである、
ことを特徴とする付記１に記載の計器装置。
【００８２】
（付記３）
指針と、前記指針によって指示される指標を表示する指標部と、を備える指針式計器をさらに備え、
前記導光部材の頂部は、前記導光部材の上下方向を高さ方向とした場合において、前記指標部の頂部よりも高い位置又は同じ位置にある、
ことを特徴とする付記１又は２に記載の計器装置。
【００８３】
（付記４）
前記導光部材は、前記上端部から所定の色の光を出射することで、所定の情報を報知する報知部である、
ことを特徴とする付記１乃至３のいずれかに記載の計器装置。
【００８４】
（付記５）
前記導光部材の上下方向を高さ方向とした場合において、前記上端部の高さが位置によって変化している、
ことを特徴とする付記１乃至４のいずれかに記載の計器装置。
【００８５】
（付記６）
前記上部の前記図柄表示板から上方に突き出ている部分のうち前記上端部以外の部分の側面全てが遮光されている、
ことを特徴とする付記１乃至５のいずれかに記載の計器装置。
【００８６】
（付記７）
光源と、
前記光源からの光を下面で受光し、受光した前記光を導光して上面から出射し、前記上面から出射する光の光量を前記上面の第１の箇所から第２の箇所に向けて少なくする導光部材と、を備え、
前記導光部材は、前記下面と前記上面とを含んで構成され、前記下面で受光した光を導光して前記上面から出射する透光部と、前記上面及び前記下面を露出させた状態で前記透光部の側面上に設けられた遮光部と、を有し、
前記遮光部は、前記透光部と密着し、前記透光部で導光され前記遮光部に到達した光を吸収する、
ことを特徴とする計器装置。
【００８７】
（付記８）
前記透光部と前記遮光部とはインサート成型によって一体成型されている、
ことを特徴とする付記７に記載の計器装置。
【００８８】
（付記９）
筐体を構成する筐体部材をさらに備え、
前記導光部材は、前記下面を含む一部分が前記筐体部材に設けられた挿入孔に挿入される導光部材本体と、前記導光部材本体から張り出したフランジであって、前記一部分が前記挿入孔に挿入されたときに前記挿入孔を塞ぐ遮光性のフランジと、を備える、
ことを特徴とする付記７又は８に記載の計器装置。
【００８９】
（付記１０）
前記筐体部材上に配置された、図柄を表示する図柄表示板をさらに備え、
前記図柄表示板は、前記導光部材が通る貫通孔を備え、前記一部分が前記挿入孔に挿入された上から前記貫通孔に前記導光部材を通した状態で前記筐体部材上に配置され、
前記図柄表示板の前記貫通孔周辺の部分の下に前記フランジの少なくとも一部が入り込み、
前記貫通孔周辺の部分は遮光性を有する、
ことを特徴とする付記９に記載の計器装置。
【００９０】
（付記１１）
前記下面は、前記光源からの光を受光する受光部を有し、
前記受光部は、前記導光部材の下面のうちの、前記導光部材における前記第１の箇所に対応する領域であり、
前記光源は、前記受光部に対向して、所定の基板に配置され、
前記下面は、前記受光部から前記下面における前記第２の箇所に対応する部分に向かって延びる傾斜面を有し、
前記傾斜面は、前記受光部から前記第２の箇所に対応する部分に近づくほど前記基板から遠ざかるように傾斜している、
ことを特徴とする付記７乃至１０のいずれかに記載の計器装置。
【００９１】
（付記１２）
光源からの光を下面で受光し、受光した前記光を導光して上面から出射し、前記上面から出射する光の光量を前記上面の第１の箇所から第２の箇所に向けて少なくする導光部材であって、
前記下面と前記上面とを含んで構成され、前記下面で受光した光を導光して前記上面から出射する透光部と、
前記上面及び前記下面を露出させた状態で前記透光部の側面上に設けられた遮光部と、を有し、
前記遮光部は、前記透光部と密着し、前記透光部で導光され前記遮光部に到達した光を吸収する、
ことを特徴とする導光部材。
【符号の説明】
【００９２】
１０          計器装置
１０３        第１筐体部材
１０５        回路基板
１０６ａ      第１光源
１０６ｂ      第２光源
１０６ｃ      第３光源
１０６ｄ      第４光源
１０６ｅ      第５光源
１０７        第２筐体部材
１０７ｘ      上面
１０８ａ      第１挿入孔
１０８ｂ      第２挿入孔
１０８ｃ      第３挿入孔
１０８ｄ      第４挿入孔
１１１        第１液晶表示装置
１１２        第２液晶表示装置
１１３        第３液晶表示装置
１１４        指針
１１５        指針用液晶表示装置
１２１        第１導光部材
１２２        第２導光部材
１２３        第３導光部材
１２３ａ      透光部
１２３ａａ    下部
１２３ａｂ    上部
１２３ａｃ    透光性フランジ
１２３ａｄ    上端部
１２３ａｄａ  上面
１２３ａｆ    受光部
１２３ａｇ    傾斜面
１２３ｂ      遮光部
１２３ｂａ    遮光性フランジ
１２４        第４導光部材
１２９        指標部
１３１        第１図柄表示板
１３２        第２図柄表示板
１３５ａ      第１貫通孔
１３５ｂ      第２貫通孔
１３５ｃ      第３貫通孔
１３５ｄ      第４貫通孔
１３９        図柄
１４１        見返し部材
１４３        窓部材
【図３】
2014178296.tif 000003
【図４】
2014178296.tif 000004
【図５】
2014178296.tif 000005
【図６】
2014178296.tif 000006
【図７】
2014178296.tif 000007
【図１】
2014178296.tif 000008
【図２】
2014178296.tif 000009